(57)【要約】【課題】接着テープに加えられる応力によって保護シールを確実に剥離することが可能なゴーグル用シールド、及び該ゴーグル用シールドが装着されたゴーグルを提供する。【解決手段】複数の留具によってゴーグルに取り付けられ、装着者の眼を保護するゴーグル用シールドが、透明なプラスチックフィルムから成るシールド本体と、シールド本体の表面に密着して被覆し使用時にシールド本体から剥離可能に設けられた保護シールと、裏面の基端部側に接着層を有し、先端部がシールド本体及び保護シールから外側に突出するように保護シールの表面に接着された接着テープと、を備え、シールド本体及び保護シールは、外側に向かって突出する突出部を有し、接着テープは、接着層の境界が突出部上に位置するように接着される。【選択図】図２
2018042750.tif 000002
【特許請求の範囲】
【請求項１】
複数の留具によってゴーグルに取り付けられ、装着者の眼を保護するゴーグル用シールドであって、
透明なプラスチックフィルムから成るシールド本体と、
前記シールド本体の表面に密着して被覆し、使用時に前記シールド本体から剥離可能に設けられた保護シールと、
裏面の基端部側に接着層を有し、先端部が前記シールド本体及び前記保護シールから外側に突出するように前記保護シールの表面に接着された接着テープと、
を備え、
前記シールド本体及び前記保護シールは、外側に向かって突出する突出部を有し、
前記接着テープは、前記接着層の境界が前記突出部上に位置するように接着される
ことを特徴とするゴーグル用シールド。
【請求項２】
前記接着テープは、平面視略長方形の形状を呈し、
前記突出部の幅と前記接着テープの幅が略等しいことを特徴とする請求項１に記載のゴーグル用シールド。
【請求項３】
前記突出部が、略台形状の形状を呈することを特徴とする請求項２に記載のゴーグル用シールド。
【請求項４】
前記突出部及び前記接着テープの先端部が、平面視で左右方向に突出することを特徴とする請求項１から請求項３のいずれか一項に記載のゴーグル用シールド。
【請求項５】
前記接着テープは、前記接着層の境界が前記突出部の先端と略一致するように接着されることを特徴とする請求項１から請求項４のいずれか一項に記載のゴーグル用シールド。
【請求項６】
前記ゴーグル用シールドが前記ゴーグルに取り付けられたときに、前記接着テープが、前記複数の留具のいずれか１つに近接して配置されることを特徴とする請求項１から請求項５のいずれか一項に記載のゴーグル用シールド。
【請求項７】
請求項１から請求項６のいずれか一項に記載のゴーグル用シールドが取り付けられたゴーグル。
【発明の詳細な説明】
【技術分野】
【０００１】
本発明は、血液等の飛散から眼を保護するために用いられる、フィルム状のゴーグル用シールドに関し、特に、使用前に傷や埃がつくことを防止する保護シールを表面に備えたゴーグル用シールド、及び該ゴーグル用シールドが装着されたゴーグルに関する。
【背景技術】
【０００２】
従来、手術の執刀医や助手は、手術時の血液等の飛散から眼を保護するためにゴーグルを装着している。ゴーグルは、両眼を前方から覆うフィルム状のシールドを有しており、これによって血液等の飛散物から眼を保護し、眼からの血液感染を防止している。
【０００３】
このような、手術用のゴーグルにおいては、感染症感染のリスクを減らすと共に、煩雑な滅菌処理等の不要なものが望まれ、使い捨てのシールドを備えたものが実用に供されている。このようなゴーグルとしては、例えば、特許文献１に記載されているように、装着者の眼を保護するために、装着者の眼の前方に設けられる使い捨てのシールドと、シールドを保持するための保持部と、保持部に連結され、ゴーグルを頭部に装着するための装着部を備えたものがある。ゴーグルの保持部はスナップ式留具を有しており、これによってシールドを容易に装着できるように構成されている。
【０００４】
また、緊急を要する救急医療の現場では、シールドの装着時間さえも短縮するため、予め新しいシールドを装着したゴーグルを常備し、緊急の手術に備えているという実態がある。このため、使用前のシールドに埃や傷がつかないように、シールドの表面に保護シールを備えたシールドも提案されている（例えば、特許文献２）。
【先行技術文献】
【特許文献】
【０００５】
【特許文献１】特開２００９−３１４７３号公報
【特許文献２】特開２０１６−１３１７２５号公報
【発明の概要】
【発明が解決しようとする課題】
【０００６】
特許文献２に記載のゴーグルによれば、予め新しいゴーグル用シールドを装着した状態（つまり、使用前の状態）でゴーグルを常備しておくような場合でも、保護シールによって使用前のシールド本体に対する埃等の付着を防止することができる。また、使用時には、保護シールに接着された接着テープをつまみ、保護シールをシールド本体から剥離することで、良好な視界を得ることが可能となる。
【０００７】
このように、特許文献２に記載のシールドは、接着テープに加えられる応力によって保護シールが変形し、この変形によって保護シールがシールド本体から剥離するように（つまり、剥離応力が発生するように）構成されている。そして、保護シールを確実に剥離するためには、接着テープに加えられる応力によって保護シールの端部が確実に持ち上げられて変形する必要があり、接着テープと保護シールの位置関係が非常に重要となる。つまり、接着テープの接着面が、保護シールの端部を確実に覆うように配置しないと（つまり、接着テープの接着面が、保護シールの端部よりも外側にはみ出していないと）、接着テープに加えられる応力が保護シールの端部に作用せず、保護シールをうまく剥離できないといった問題が発生する。そして、最悪の場合、保護シールが剥離せずに、接着テープが保護シールから剥離してしまうといった問題が発生する。
【０００８】
このため、特許文献２に記載のシールドにおいては、接着テープの接着面を、保護シールの端部から外側にはみ出すように配置することが重要であった。しかしながら、一方で、接着テープの接着面が、保護シールの端部から必要以上にはみ出してしまうと、はみ出し部分に埃等が付着してしまうといった衛生上の問題が発生する。また、複数のシールドを重ねた状態で保管すると、接着面のはみ出し部分によって、重なったシールド同士が互いに貼り付いてしまうため、各シールドを個別に保管しなければならないといった問題も発生する。
【０００９】
このように、特許文献２に記載のシールドにおいては、保護シールに対する接着テープの位置精度が非常に重要であり、接着テープの接着面が、保護シールの端部から所定量だけ外側にはみ出すように接着テープを取り付ける必要があるため、接着テープの取り付け工程においては、慎重な作業が要求され、生産性が上がらないといった問題があった。
【００１０】
本発明は、このような事情に鑑みてなされたものであり、その目的とするところは、接着テープの取り付け工程において生産性を上げると共に、接着テープに加えられる応力によって保護シールを確実に剥離することが可能なゴーグル用シールド、及び該ゴーグル用シールドが装着されたゴーグルを提供することである。
【課題を解決するための手段】
【００１１】
上記目的を達成するため、本発明のゴーグル用シールドは、複数の留具によってゴーグルに取り付けられ、装着者の眼を保護するゴーグル用シールドであって、透明なプラスチックフィルムから成るシールド本体と、シールド本体の表面に密着して被覆し、使用時にシールド本体から剥離可能に設けられた保護シールと、裏面の基端部側に接着層を有し、先端部がシールド本体及び保護シールから外側に突出するように保護シールの表面に接着された接着テープと、を備え、シールド本体及び保護シールは、外側に向かって突出する突出部を有し、接着テープは、接着層の境界が突出部上に位置するように接着されることを特徴とする。
【００１２】
このような構成によれば、保護シールを剥離するときに、接着テープに加えられる応力が突出部の狭い領域内に集中し、接着テープの変形に伴って、保護シールの突出部が変形し、保護シールが確実に剥離される。また、接着層が、シールド本体及び保護シールの外側にはみ出さないため、接着層に埃等が付着することもなく、複数のゴーグル用シールドを重ねた状態で保管しても、重なったシールド同士が互いに貼り付いてしまうこともない。また、接着テープは、接着層の境界が、突出部の領域内に位置するように取り付けられればよいため（つまり、保護シールに対する接着テープの位置精度が、突出部の領域内で許容できるため）、接着テープの取り付け工程において、生産性も向上する。
【００１３】
また、接着テープは、平面視略長方形の形状を呈し、突出部の幅と接着テープの幅が略等しくなるように構成することができる。また、この場合、突出部が、略台形状の形状を呈することが望ましい。
【００１４】
また、突出部及び接着テープの先端部が、平面視で左右方向に突出するように構成することができる。このような構成によれば、ゴーグル用シールドの外形が左右非対称となり、表裏の認識が容易となるため、接着テープの取り付け工程において、表裏を誤認することがなくなり、生産性がさらに向上する。
【００１５】
また、接着テープは、接着層の境界が突出部の先端と略一致するように接着されることが望ましい。
【００１６】
また、ゴーグル用シールドがゴーグルに取り付けられたときに、接着テープが、複数の留具のいずれか１つに近接して配置されることが望ましい。
【００１７】
また、別の観点からは、本発明のゴーグルは、上述したゴーグル用シールドが取り付けられていることを特徴とする。
【発明の効果】
【００１８】
以上のように、本発明によれば、接着テープの取り付け工程において生産性が上がると共に、接着テープに加えられる応力によって保護シールを確実に剥離することが可能なゴーグル用シールド、及び該ゴーグル用シールドが装着されたゴーグルが実現される。
【図面の簡単な説明】
【００１９】
【図１】図１は、本発明の実施形態に係るゴーグルの使用前の状態を示す斜視図である。
【図２】図２は、本発明の実施形態に係るゴーグル用シールドの平面図である。
【図３】図３は、図２のゴーグル用シールドの分解図である。
【図４】図４は、図２のゴーグル用シールドのピックアップテープ周辺の断面図である。
【図５】図５は、図２のゴーグル用シールドにおいて、保護シールを剥離するときの様子を説明する、ピックアップテープ周辺の断面図である。
【図６】図６は、図２のゴーグル用シールドを取り付ける様子を説明する図である。
【図７】図７は、図２のゴーグル用シールドから保護シールを取り外す手順を説明する図である。
【図８】図８は、図２のゴーグル用シールドから保護シールが取り外された後の状態（つまり、使用時の状態）を説明する図である。
【発明を実施するための形態】
【００２０】
以下、本発明の実施の形態について図面を参照して詳細に説明する。なお、図中同一又は相当部分には同一の符号を付してその説明は繰り返さない。
【００２１】
図１は、本発明の実施の形態に係るゴーグル１０の使用前の状態を示す斜視図である。図２は、ゴーグル１０に取り付けられる前のゴーグル用シールド１００（以下、単に「シールド１００」という。）を前方から見たときの平面図である。また、図３は、図２のシールド１００の分解図であり、図３（ａ）はシールド本体１１０の平面図であり、図３（ｂ）は、シールド本体１１０の表面に密着して被覆する保護シール１２０の平面図であり、図３（ｃ）は、保護シール１２０の表面に取り付けられるピックアップテープ１３０（接着テープ）の平面図である。また、図３（ｄ）は、図３（ａ）のＡ部拡大図であり、図３（ｅ）は、図３（ｂ）のＢ部拡大図である。本実施形態のゴーグル１０は、手術時の血液等の飛散から眼を保護するために用いられる器具であり、使い捨てのシールド１００が取り付けられて使用される。なお、以下の説明においては、ゴーグル１０が頭部に装着されたとき、顔が向けられる方向を前方とし、その逆方向を後方とする。また、左右上下は前方から見たときの左右上下をいう。また、図１、図２及び図３においては、図を分かり易くするために、シールド１００の保護シール１２０をグレーで示しているが、実際の保護シール１２０は無色透明か、または彩色（例えば、白色）が施されたものになっている。
【００２２】
図１に示すように、ゴーグル１０は、装着者の眼を保護するために、装着者の眼の前方に設けられるシールド１００と、シールド１００を保持するためのフレーム部２００と、フレーム部２００に連結され、ゴーグル１０を頭部に装着するための装着部３００を備えている。
【００２３】
フレーム部２００は、プラスチック製の細長の板状部材であり、前頭部の形状に沿って略Ｕ字状に湾曲して形成され、アーム２１０、２２０が支持部２３０の右側及び左側から後方に向って延出している。フレーム部２００のアーム２１０、２２０の先端部には、それぞれ中央に連結穴２１２（図１において不図示）、２２２が形成された連結部２１４、２２４が形成されている。
【００２４】
また、アーム２１０、２２０の基端部に連続するように接続された支持部２３０には、その前面側に２つの突起２３１、２３２と、３つのスナップ式留具２３３、２３４、２３５が設けられている。２つの突起２３１、２３２と、３つのスナップ式留具２３３、２３４、２３５は、シールド１００を位置決めすると共に支持する機構であり、スナップ式留具２３３は支持部２３０とアーム２１０の略境界部に配置され、スナップ式留具２３４は支持部２３０の中央部に配置され、スナップ式留具２３５は支持部２３０とアーム２２０の略境界部に配置されている。また、突起２３１は、スナップ式留具２３３とスナップ式留具２３４の略中間の位置に配置され、突起２３２は、スナップ式留具２３４とスナップ式留具２３５の略中間の位置に配置されている。
【００２５】
スナップ式留具２３３、２３４、２３５のそれぞれは、支持部２３０の前面から突出するように形成された突起部２３３ａ（図１において不図示）、２３４ａ、２３５ａと、各突起部２３３ａ、２３４ａ、２３５ａと係合する係合部２３３ｂ、２３４ｂ、２３５ｂを有している。詳細は後述するが、本実施形態の各係合部２３３ｂ、２３４ｂ、２３５ｂは、支持部２３０の上側端面から上方に向って突出するように設けられており、各係合部２３３ｂ、２３４ｂ、２３５ｂの基端部側（つまり、支持部２３０側）には、各係合部２３３ｂ、２３４ｂ、２３５ｂを前方に折り返すことができるように、柔軟性を有した屈曲部２３３ｃ、２３４ｃ、２３５ｃが形成されている。そして、各係合部２３３ｂ、２３４ｂ、２３５ｂを前方に折り返すことで、各係合部２３３ｂ、２３４ｂ、２３５ｂが各突起部２３３ａ、２３４ａ、２３５ａと係合し、シールド１００が支持部２３０に固定されるように構成されている（図６）。
【００２６】
装着部３００は、プラスチック製の部材であり、後方に向かって延びるテンプル部３１０、３２０と、テンプル部３１０と３２０とを接続するブリッジ部３３０とが一体に成形されて構成される。図１に示すように、テンプル部３１０、３２０は、それぞれ内側に湾曲しつつ、後方に向かって延びている。また、ブリッジ部３３０は、テンプル部３１０、３２０から上斜め前方にアーチ状に曲げられて形成され、テンプル部３１０、３２０の前方端部を接続している。ゴーグル１０が装着者の頭部に装着されると、テンプル部３１０、３２０が装着者の側頭部及び耳に当接すると共に、ブリッジ部３３０が装着者の前頭部に当接し、ゴーグル１０は装着者の頭部に安定して固定される。
【００２７】
テンプル部３１０、３２０の前方端部の近傍には、連結穴３１２、３２２（図１において不図示）がそれぞれ設けられており、テンプル部３１０、３２０の外側には、連結穴３１２と連結穴２１２が連通し、連結穴３２２と連結穴２２２が連通するように、フレーム部２００の連結部２１４、２２４が配置されている。そして、連結穴３１２と連結穴２１２には連結ピン３１４が挿通され、連結穴３２２と連結穴２２２には連結ピン３２４が挿通され、フレーム部２００は、連結ピン３１４、３２４を支点に、装着部３００に対して上下に回動可能に固定されている。このように、本実施形態においては、フレーム部２００を装着部３００に対して相対的に回動させることにより、フレーム部２００に支持されたシールド１００の上下方向の位置が調整可能になっている。なお、本実施形態においては、フレーム部２００は、テンプル部３１０、３２０に対して、一定の摩擦力が発生するように連結ピン３１４、３２４により固定されているため、外部から力が加わらない限り、フレーム部２００が装着部３００に対して相対的に回動することはない。
【００２８】
シールド１００は、無色透明または彩色が施された、厚さ略１００〜２００μｍのＴＡＣ（トリアセチルセルロース（Triacetylcellulose））フィルム等のプラスチックフィルムから成り、光透過性及び可撓性を有するシールド本体１１０と、無色透明または彩色が施された、厚さ略３０〜５０μｍのＰＥ（ポリエチレン（Polyethylene））等のフィルムから成り、シールド本体１１０の表面に密着して被覆する保護シール１２０と、ＴＡＣフィルム等のプラスチックフィルムから成り、先端部がシールド本体１１０及び保護シール１２０の左側に突出するように、保護シール１２０の表面に取り付けられるピックアップテープ１３０と、から構成されている。図２に示すように、本実施形態のシールド１００は、フレーム部２００に取り付けられる前においては、平面視略台形のシート状の形状を呈しており、ゴーグル１０を使用する際には、シールド１００をフレーム部２００に取り付けた後、ピックアップテープ１３０の先端部を把持し、ゆっくりと右方向に移動させて、保護シール１２０をシールド本体１１０から剥がして使用する（詳細は後述）。なお、シールド１００の素材としては、ＴＡＣフィルム以外にも、ＰＥＴ（ポリエチレンテレフタレート（Polyethylene terephthalate））フィルム、ＰＣ（ポリカーボネート（Polycarbonate））フィルム、ＰＰ（ポリプロピレン（Polypropylene））フィルム等を用いることができる。また、保護シール１２０の素材としては、ＰＥフィルム以外にも、ＰＣフィルム、ＰＰフィルム等を用いることができる。また、ピックアップテープ１３０の基材としては、ＴＡＣフィルム以外にも、ＰＥＴフィルム、ＰＣフィルム、ＰＰフィルム等を用いることができる。
【００２９】
図２及び図３（ａ）に示すように、シールド本体１１０の上端部１１０Ｕ近傍には、フレーム部２００の突起２３１、２３２に対応する穴１１１、１１２と、スナップ式留具２３３、２３４、２３５に対応する穴１１３、１１４、１１５が穿設されている。また、シールド本体１１０の穴１１３、１１５の上方には、フレーム部２００に取り付けられる際に、スナップ式留具２３３、２３５と干渉しないように、切欠部１１０Ｒ、１１０Ｌが形成されている。また、シールド本体１１０の穴１１４の上側には、シールド１００をフレーム部２００に取り付ける際に、スナップ式留具２３４を前方に折り返すことができるように、上端部１１０Ｕから下方に延びるスリット１１６と、穴１１７が形成されている。また、シールド本体１１０の左側端部の穴１１５の近傍には、外側（左側）に向かって台形状に突出する突出部１１８が形成されている（図３（ｄ））。
【００３０】
図２及び図３（ｂ）に示すように、保護シール１２０の上端部１２０Ｕ近傍には、フレーム部２００の突起２３１、２３２に対応する穴１２１、１２２が穿設されている。また、保護シール１２０の右上側には、シールド１００がフレーム部２００に取り付けられたときに、スナップ式留具２３３と干渉しないように、切欠部１２０Ｒが形成されており、保護シール１２０の左上側には、シールド１００がフレーム部２００に取り付けられたときに、スナップ式留具２３５と干渉しないように、切欠部１２０Ｌが形成されている。また、保護シール１２０の中央上側には、シールド１００をフレーム部２００に取り付ける際に、スナップ式留具２３４を前方に折り返すことができるように、上端部１２０Ｕから下方に延びるスリット１２６が形成され、また、シールド１００がフレーム部２００に取り付けられたときに、スナップ式留具２３４と干渉しないように、スリット１２６に連続する円形開口部１２４が形成されている。また、保護シール１２０の左側端部の切欠部１２０Ｌの近傍には、外側（左側）に向かって台形状に突出する突出部１２８が形成されている（図３（ｅ））。なお、保護シール１２０の突出部１２８は、シールド本体１１０の突出部１１８を被覆するように略同一の形状を呈しており、本実施形態においては、突出部１１８及び突出部１２８の幅は、ピックアップテープ１３０の幅と略等しく（例えば、略１０ｍｍ）、突出量は略２ｍｍに設定されている。また、本実施形態の保護シール１２０は、裏面側（シールド本体１１０側）にシリコーン樹脂などの剥離性付与剤がコーティングされたものであり、保護シール１２０をシールド本体１１０から剥がしたときに、シールド本体１１０上に接着剤等が残存することがないようになっている。
【００３１】
図２及び図３（ｃ）に示すように、本実施形態の保護シール１２０上には、保護シール１２０をシールド本体１１０から剥離し易くするために、保護シール１２０の突出部１２８を覆い、先端部がシールド１００から突出するように、ピックアップテープ１３０が配設されている。本実施形態のピックアップテープ１３０は、平面視略長方形の形状を呈しており、保護シール１２０と対向する部分（保護シール１２０の基端部）には、接着層１３０ａが形成されている（図３（ｃ））。そして、ピックアップテープ１３０は、接着層１３０ａを介して保護シール１２０に固着している。なお、ピックアップテープ１３０と保護シール１２０間の界面接着力は、保護シール１２０とシールド本体１１０間の界面接着力よりも十分に大きく、保護シール１２０をシールド本体１１０から剥離するときに、ピックアップテープ１３０が保護シール１２０から剥離することがないようになっている。なお、図２及び図３（ｃ）において、接着層１３０ａの境界（つまり、接着層１３０ａの左側端部）を破線で示している。
【００３２】
上述のように、本実施形態のシールド１００は、シールド本体１１０と保護シール１２０とを貼り合わせ、さらにピックアップテープ１３０を貼り付けたものである。本実施形態のシールド１００は、例えば、ＴＡＣフィルム等のプラスチックフィルムにＰＥフィルムを貼り合わせた（つまり、積層された）シートを用意し、該シートをいわゆるトムソン型（ビク型）によって抜き加工し、保護シール１２０の突出部１２８を覆うようにピックアップテープ１３０を貼り付けることによって得られる。また、保護シール１２０の切欠部１２０Ｒ、切欠部１２０Ｌ及び円形開口部１２４は、トムソン型（ビク型）によって、抜き加工と同時に保護シール１２０のみをカットしたり、抜き加工の後にカッターを用いて保護シール１２０のみをカットすることによって形成される。
【００３３】
図４は、本実施形態のシールド１００のピックアップテープ１３０周辺の断面図である。図４に示すように、シールド１００のピックアップテープ１３０周辺においては、シールド本体１１０と、保護シール１２０と、接着層１３０ａと、ピックアップテープ１３０とが積層された構造となっている。なお、上述のように、保護シール１２０の裏面側（つまり、保護シール１２０とシールド本体１１０との間）には剥離性付与剤がコーティングされているが、説明の便宜のため、図４においては省略している。
【００３４】
図５は、本実施形態のシールド１００において、保護シール１２０を剥離するときの様子を説明する、ピックアップテープ１３０周辺の断面図である。図５に示すように、保護シール１２０を剥離する場合には、ピックアップテープ１３０の先端部を把持し、ピックアップテープ１３０をゆっくりと右方向（図５の右斜め上方向）に移動させる。ピックアップテープ１３０をゆっくりと右方向（図５の右斜め上方向）に移動させると、ピックアップテープ１３０に加えられる応力が接着層１３０ａを介して保護シール１２０に伝達され、保護シール１２０が変形する。そして、保護シール１２０が変形することによって、保護シール１２０とシールド本体１１０との間に剥離応力が発生し、保護シール１２０がシールド本体１１０から剥離する。
【００３５】
このように、本実施形態においては、保護シール１２０が変形することによって、保護シール１２０がシールド本体１１０から剥離するため、保護シール１２０をシールド本体１１０から確実に剥離するためには、ピックアップテープ１３０に加えられる応力が保護シール１２０の左側端部に確実に作用するように構成することが重要となる。つまり、換言すると、ピックアップテープ１３０に加えられる応力が保護シール１２０の左側端部に作用しないと、保護シール１２０を十分に変形させることができず、保護シール１２０を剥離できない（つまり、保護シール１２０を剥離する前にピックアップテープ１３０が保護シール１２０から剥離してしまう）といった問題がある。そこで、かかる問題を解決するため、本実施形態においては、シールド本体１１０と保護シール１２０に、それぞれ突出部１１８と突出部１２８とを設け、接着層１３０ａの左側端部（つまり、接着層１３０ａの境界）が、突出部１１８及び突出部１２８の領域内に位置するように（つまり、シールド本体１１０及び保護シール１２０の左側端部からはみ出さないように）ピックアップテープ１３０を取り付けている。つまり、保護シール１２０を剥離するときに、ピックアップテープ１３０の先端部を移動させていくと、接着層１３０ａの左側端部に応力が集中することとなるが、本実施形態においては、ピックアップテープ１３０の幅が突出部１１８及び突出部１２８の幅と略等しく、接着層１３０ａの左側端部が突出部１１８及び突出部１２８の領域内に位置するように構成されているため、かかる応力は突出部１１８及び突出部１２８の狭い領域内に集中することとなる。従って、ピックアップテープ１３０の変形に伴って、保護シール１２０の突出部１２８が変形し、保護シール１２０とシールド本体１１０間の界面接着力よりも大きな剥離応力が働き、突出部１２８から保護シール１２０が確実に剥離される。なお、接着層１３０ａの左側端部は、突出部１１８及び突出部１２８の領域内に位置すればよいが、応力集中の観点からは、接着層１３０ａの左側端部が突出部１１８及び突出部１２８の左側端部と略一致するように構成されるのが望ましい。
【００３６】
図６は、シールド１００をフレーム部２００に取り付ける様子を説明する図である。なお、図６においては、説明の便宜のため、フレーム部２００に取り付けられた状態のシールド１００の形状を２点鎖線で示している。
【００３７】
図６に示すように、本実施形態のシールド１００は、スナップ式留具２３３、２３４、２３５の各係合部２３３ｂ、２３４ｂ、２３５ｂを上方に開いた状態で、裏面側（保護シール１２０が設けられていない側）をフレーム部２００に向け、フレーム部２００の前方から取り付けられる。シールド１００をフレーム部２００に取り付けるときには、先ず、穴１１１及び穴１２１に突起２３１を挿入し、穴１１２及び穴１２２に突起２３２挿入し、穴１１４に突起部２３４ａを挿入し、スナップ式留具２３４の係合部２３４ｂをスリット１１６及びスリット１２６の隙間を通して前方に折り返し、スナップ式留具２３４を固定する（つまり、係合部２３４ｂを突起部２３４ａに係合させる）。なお、スナップ式留具２３４を固定したとき、スナップ式留具２３４の屈曲部２３４ｃがシールド本体１１０の穴１１７に嵌まり込むため、スリット１１６及びスリット１２６は、閉じた状態となる。
【００３８】
次いで、シールド１００の左右両端部をフレーム部２００の支持部２３０の形状に沿うように曲げ、穴１１３に突起部２３３ａを挿入した状態で、スナップ式留具２３３の係合部２３３ｂを前方に折り返してスナップ式留具２３３を固定し（つまり、係合部２３３ｂを突起部２３３ａに係合させ）、穴１１５に突起部２３５ａを挿入した状態で、スナップ式留具２３５の係合部２３５ｂを前方に折り返してスナップ式留具２３５を固定する（つまり、係合部２３５ｂを突起部２３５ａに係合させる）。このように、スナップ式留具２３３、２３４、２３５を固定すると、シールド１００がフレーム部２００の形状に沿うように湾曲した状態でフレーム部２００に固定され、図１に示す状態（つまり、使用前の状態）となる。
【００３９】
このように、本実施形態のゴーグル１０は、使用前の状態のときに、シールド本体１１０が保護シール１２０によって被覆されており、シールド本体１１０に埃や汚れが付着したり、傷がつくことがないように構成されている。
【００４０】
図７及び図８は、本実施形態のゴーグル１０を使用する際の手順を説明する図である。図７は、保護シール１２０を取り外す手順を説明する図であり、図８は、保護シール１２０が取り外された後の状態（つまり、使用時の状態）を説明する図である。図７及び図８に示すように、本実施形態のゴーグル１０を使用する場合には、シールド１００の保護シール１２０がシールド本体１１０から取り外される。
【００４１】
図７に示すように、保護シール１２０を取り外す場合、シールド１００から突出するピックアップテープ１３０を把持し、ピックアップテープ１３０をシールド１００の表面に沿ってゆっくりと右方向に移動させる。ピックアップテープ１３０をシールド１００の表面に沿ってゆっくりと右方向に移動させると、図５に示すように、ピックアップテープ１３０に加えられる応力が接着層１３０ａを介して保護シール１２０に伝達され、保護シール１２０が変形する。そして、保護シール１２０が変形することによって、保護シール１２０とシールド本体１１０との間に剥離応力が発生し、保護シール１２０がシールド本体１１０から剥離する。なお、上述したように、本実施形態の保護シール１２０は、切欠部１２０Ｒ、切欠部１２０Ｌ、円形開口部１２４を有し、各スナップ式留具２３３、２３４、２３５と干渉しないように（つまり、シールド本体１１０の表面のスナップ式留具２３３、２３４、２３５が配置される領域以外の領域を被覆するように）構成されている。このため、ピックアップテープ１３０をシールド１００の表面に沿ってゆっくり移動させることにより、保護シール１２０は各スナップ式留具２３３、２３４、２３５に引っ掛かることなく、左側から順にシールド本体１１０から剥離される。そして、保護シール１２０をシールド本体１１０から完全に剥離すると、図８に示すように、埃等の付着のないシールド本体１１０の表面が露出する。
【００４２】
以上のように、本実施形態のゴーグル１０は、使用する直前までシールド本体１１０を保護シール１２０によって被覆しておくことができ、使用時には保護シール１２０を簡単に剥離することができるように構成されている。従って、例えば、緊急を要する救急医療の現場において、シールド１００の装着時間を短縮するために予め新しいシールド１００を装着した状態（つまり、使用前の状態）でゴーグル１０を常備しておくような場合でも、保護シール１２０によって使用前のシールド本体１１０に対する埃等の付着を防止することができ、使用時には保護シール１２０を剥離することで、良好な視界を得ることが可能となる。
【００４３】
また、本実施形態のシールド１００は、シールド本体１１０と保護シール１２０に、それぞれ突出部１１８と突出部１２８とを備え、ピックアップテープ１３０の接着層１３０ａの左側端部が、突出部１１８及び突出部１２８の領域内に位置するように（つまり、シールド本体１１０及び保護シール１２０の左側端部からはみ出さないように）ピックアップテープ１３０が取り付けられている。従って、保護シール１２０を剥離するときに、ピックアップテープ１３０の先端部を移動させていくと、ピックアップテープ１３０に加えられる応力が突出部１１８及び突出部１２８の狭い領域内に集中し、ピックアップテープ１３０の変形に伴って、保護シール１２０の突出部１２８が変形し、突出部１２８から保護シール１２０が確実に剥離される。また、本実施形態のシールド１００は、ピックアップテープ１３０の接着層１３０ａの左側端部が、シールド本体１１０及び保護シール１２０の左側端部からはみ出さないように構成されているため、接着層１３０ａに埃等が付着することもなく、複数のシールド１００を重ねた状態で保管しても、重なったシールド１００同士が互いに貼り付いてしまうこともない。また、ピックアップテープ１３０は、接着層１３０ａの左側端部が、突出部１１８及び突出部１２８の領域内に位置するように取り付けられればよいため（つまり、保護シール１２０に対するピックアップテープ１３０の位置精度が、突出部１１８及び突出部１２８の領域内で許容できるため）、ピックアップテープ１３０の取り付け工程において、生産性も向上する。また、突出部１１８及び突出部１２８によって、シールド１００の外形が左右非対称となり、表裏の認識が容易となるため、ピックアップテープ１３０の取り付け工程において、シールド１００の表裏を誤認することもなくなる。
【００４４】
以上が本発明の実施形態の説明であるが、本発明は、上記の実施形態の構成に限定されるものではなく、その技術的思想の範囲内で様々な変形が可能である。例えば、本実施形態においては、シールド本体１１０は、光透過性を有するＴＡＣ等のプラスチックフィルムであるとしたが、光透過性及び可撓性を有するものであれば、これに限定されるものではない。また、シールド本体１１０の表面又は裏面に、紫外線や赤外線をカットするコーティングや、反射を防止するコーティングを施すことも可能である。
【００４５】
また、本実施形態の保護シール１２０は、シールド本体１１０の表面側にのみ設けられるものとしたが、さらにシールド本体１１０の裏面側に設けることも可能である。この場合、シールド本体１１０の裏面側の保護シールは、支持部２３０に干渉しないように、支持部２３０の下側にのみ設けられるのが望ましい。
【００４６】
また、本実施形態においては、突出部１１８及び突出部１２８が左側に向かって突出するように形成され、ピックアップテープ１３０も先端部が左側に向かって突出するように取り付けられるものとしたが、このような構成に限定されるものではなく、突出部１１８、突出部１２８の形成位置及びピックアップテープ１３０の先端部の突出位置は、任意である。なお、シールド１００が変形しやすいため、保護シール１２０を剥離するときの作業性の観点からは、突出部１１８、突出部１２８及びピックアップテープ１３０の位置は、スナップ式留具２３３、２３４、２３５のいずれか１つの近傍に配置されるのが望ましい。
【００４７】
また、本実施形態においては、突出部１１８及び突出部１２８が略台形状であるものとしたが、ピックアップテープ１３０の接着層１３０ａの左側端部が位置し、保護シール１２０を確実に変形させることができるものであれば、いかなる形状のものであってもよい。
【００４８】
また、本実施形態のピックアップテープ１３０は、平面視略長方形であるとしたが、このような形状に限定されるものではなく、突出部１１８及び突出部１２８に作用し、保護シール１２０を確実に変形させることができるものであれば、いかなる形状のものであってもよい。
【００４９】
なお、今回開示された実施の形態は、全ての点で例示であって、制限的なものではないと考えられるべきである。本発明の範囲は、上記した説明ではなく、特許請求の範囲によって示され、特許請求の範囲と均等の意味及び範囲内での全ての変更が含まれることが意図される。
【符号の説明】
【００５０】
１０  ゴーグル
１００  ゴーグル用シールド
１１０  シールド本体
１１０Ｕ  上端部
１１０Ｒ、１１０Ｌ  切欠部
１１１、１１２、１１３、１１４、１１５、１１７  穴
１１６  スリット
１１８  突出部
１２０  保護シール
１２０Ｕ  上端部
１２０Ｒ、１２０Ｌ  切欠部
１２１、１２２  穴
１２４  円形開口部
１２６  スリット
１２８  突出部
１３０  ピックアップテープ
１３０ａ  接着層
２００  フレーム部
２１０、２２０  アーム
２１２、２２２  連結穴
２１４、２２４  連結部
２３０  支持部
２３１、２３２  突起
２３３、２３４、２３５  スナップ式留具
２３３ａ、２３４ａ、２３５ａ  突起部
２３３ｂ、２３４ｂ、２３５ｂ  係合部
２３３ｃ、２３４ｃ、２３５ｃ  屈曲部
３００  装着部
３１０、３２０  テンプル部
３１２、３２２  連結穴
３１４、３２４  連結ピン
３３０  ブリッジ部
【図１】
2018042750.tif 000003
【図２】
2018042750.tif 000004
【図３】
2018042750.tif 000005
【図４】
2018042750.tif 000006
【図５】
2018042750.tif 000007
【図６】
2018042750.tif 000008
【図７】
2018042750.tif 000009
【図８】
2018042750.tif 000010